(57)【要約】      （修正有）【課題】ドリフトピンだけで建築用木材同士を接合可能とする木材接合金具用ピン止め具並びにこの木材接合金具用ピン止め具を具備する木材接合具を提供する。【解決手段】一方の建築用木材１の周面部に設けたホゾ穴７に挿入するホゾ部８と、木材接合金具Ｋのボルト挿通孔６に挿通するボルト部９とを備え、ホゾ部８に、ドリフトピン10を交差貫通することでこのホゾ部８をホゾ穴７に抜け止め係止するピン係止孔11を設け、ボルト部９は、木材接合金具Ｋのボルト挿通孔６に挿通してナット12により締付固定可能に構成すると共に、ナット12を緩めてボルト部９の締付固定状態を解除することによりホゾ部８を回転させてピン係止孔11へのドリフトピン10の貫通方向を変更し得るように構成した木材接合金具用ピン止め具。【選択図】図４
2014156693.tif 000002
【特許請求の範囲】
【請求項１】
一方の建築用木材の周面部に取り付けする取付板部と、他方の建築用木材の端部に設けた仕口部に連結する仕口連結部とを備え、前記取付板部に、前記一方の建築用木材に貫通される取付ボルトを挿通するボルト挿通孔を設けた木材接合金具の前記ボルト挿通孔に固定して使用する木材接合金具用ピン止め具であって、前記一方の建築用木材の周面部に設けたホゾ穴に挿入するホゾ部と、前記木材接合金具の前記ボルト挿通孔に挿通するボルト部とを備え、前記ホゾ部に、ドリフトピンを交差貫通することでこのホゾ部を前記ホゾ穴に抜け止め係止するピン係止孔を設け、前記ボルト部は、前記木材接合金具の前記ボルト挿通孔に挿通してナットにより固定可能に構成すると共に、ナットによる固定状態を解除することによりホゾ部を回転させて前記ピン係止孔へのドリフトピンの貫通方向を変更し得るように構成したことを特徴とする木材接合金具用ピン止め具。
【請求項２】
基体の一側に前記ホゾ部を突設すると共に、この基体の他側に前記ボルト部を突設した構成として、このボルト部を前記木材接合金具の前記取付板部の外方から前記ボルト挿通孔に挿通することによって前記ホゾ部が前記仕口連結部の反対側に突設するように構成し、このホゾ部に、前記ボルト部の軸方向と直交する方向にドリフトピンを貫通可能な前記ピン係止孔を設けて、前記ボルト挿通孔に挿通した前記ボルト部を回転させることでこのホゾ部を回転させると、前記ピン係止孔へのドリフトピンの貫通方向を変更し得るように構成したことを特徴とする請求項１記載の木材接合金具用ピン止め具。
【請求項３】
基体の一側に板状の前記ホゾ部を突設して、このホゾ部にホゾ部の板面と直交する方向に貫通する前記ピン係止孔を設け、基体の他側に前記ボルト部を突設すると共に、このボルト部は、その軸方向が前記ピン係止孔へのドリフトピンの貫通方向と直交する方向に配設するようにして突設したことを特徴とする請求項１，２のいずれか１項に記載の木材接合金具用ピン止め具。
【請求項４】
前記ボルト部の基部に、前記木材接合金具の前記取付板部に設けた角孔状の前記ボルト挿通孔に回り止め状態に嵌合可能な角形嵌合部を設けたことを特徴とする請求項１〜３のいずれか１項に記載の木材接合金具用ピン止め具。
【請求項５】
前記角形嵌合部は、前記ピン係止孔の向きを認識可能な角形状に構成若しくはピン係止孔の向きを表示する表示部を有する構成としたことを特徴とする請求項４記載の木材接合金具用ピン止め具。
【請求項６】
前記ボルト部の基部に、前記木材接合金具の前記取付板部に当接する挟着部を設けて、この挟着部とボルト部の先端に螺着した前記ナットとで前記ボルト挿通孔近傍の前記取付板部を挟持して締付固定し得るように構成したことを特徴とする請求項１〜５のいずれか１項に記載の木材接合金具用ピン止め具。
【請求項７】
一方の建築用木材の周面部に取り付けする取付板部と、他方の建築用木材の端部に設けた仕口部に連結する仕口連結部とを備え、前記取付板部に、前記一方の建築用木材に貫通される取付ボルトを挿通するボルト挿通孔を設けた木材接合金具と、前記請求項１〜６のいずれか１項に記載の木材接合金具用ピン止め具とから成ることを特徴とする木材接合具。
【発明の詳細な説明】
【技術分野】
【０００１】
本発明は、これまではボルト止めであった建築用木材と木材接合金具との連結構造を、ドリフトピン止め構造にできる木材接合金具用ピン止め具並びにこの木材接合金具用ピン止め具を具備する木材接合具に関するものである。
【背景技術】
【０００２】
従来の建築用木材の継合構造としては、例えば特開２０００−１０４３４３号（特許文献１）にあるように、断面コ字型若しくはＵ字型の木材接合金具を用いる構造がある。
【０００３】
具体的には、建築用縦材に当接固定する縦材取付板部と、この縦材取付板部から突出して建築用横材の端部の仕口部に継合連結される左右一対の仕口連結板部とから成る断面コ字型若しくはＵ字型の木材接合金具を用いる。
【０００４】
この木材接合金具の縦材取付板部には、前記縦材の側面より貫通突出する連結ボルトを挿通するボルト挿通孔が上下方向に複数並設状態に設けられ、一方、この木材接合金具の左右の仕口連結板部には夫々、前記横材の端部にして仕口部に形成されたピン通し孔に挿通固定するドリフトピンを挿通する為のピン係止孔や、前記仕口部のピン通し孔に挿通固定した最も上側位置のドリフトピンを掛け止め状態に連結する為のあご掛け凹部が設けられている。
【０００５】
そして、例えば、先ず縦材の対向側面間に貫通状態に設けられたボルト通し孔に貫通した取付ボルトにより、この縦材の側面に木材接合金具の縦材取付板部を当接固定し、次いで、この木材接合金具の仕口連結板部を横材の仕口部内に挿入配設しつつ、この仕口部の最も上側のピン通し孔に予め挿通固定しておいたドリフトピンを前記仕口連結板部のあご掛け凹部に上方から載置支承させて掛け止め状態に連結し、次いで、この仕口部の残余のピン通し孔と、前記仕口連結板部のピン係止孔とを連通させてドリフトピンを打ち込み固定して、この仕口連結板部を前記横材の仕口部に継合連結し、これにより縦材と横材とを直角若しくは傾斜状態に接合する構成である。
【先行技術文献】
【特許文献】
【０００６】
【特許文献１】特開２０００−１０４３４３号公報
【発明の概要】
【発明が解決しようとする課題】
【０００７】
本発明は、上記のような従来の木材接合金具を用いた建築用木材の接合構造を、取付ボルトを用いることなくドリフトピンだけで接合可能とするための木材接合金具用ピン止め具並びにこの木材接合金具用ピン止め具を具備する木材接合具を提供するものである。
【課題を解決するための手段】
【０００８】
添付図面を参照して本発明の要旨を説明する。
【０００９】
一方の建築用木材１の周面部に取り付けする取付板部４と、他方の建築用木材２の端部に設けた仕口部３に連結する仕口連結部５とを備え、前記取付板部４に、前記一方の建築用木材１に貫通される取付ボルトを挿通するボルト挿通孔６を設けた木材接合金具Ｋの前記ボルト挿通孔６に固定して使用する木材接合金具用ピン止め具Ａであって、前記一方の建築用木材１の周面部に設けたホゾ穴７に挿入するホゾ部８と、前記木材接合金具Ｋの前記ボルト挿通孔６に挿通するボルト部９とを備え、前記ホゾ部８に、ドリフトピン10を交差貫通することでこのホゾ部８を前記ホゾ穴７に抜け止め係止するピン係止孔11を設け、前記ボルト部９は、前記木材接合金具Ｋの前記ボルト挿通孔６に挿通してナット12により固定可能に構成すると共に、ナット12による固定状態を解除することによりホゾ部８を回転させて前記ピン係止孔11へのドリフトピン10の貫通方向を変更し得るように構成したことを特徴とする木材接合金具用ピン止め具に係るものである。
【００１０】
また、基体13の一側に前記ホゾ部８を突設すると共に、この基体13の他側に前記ボルト部９を突設した構成として、このボルト部９を前記木材接合金具Ｋの前記取付板部４の外方から前記ボルト挿通孔６に挿通することによって前記ホゾ部８が前記仕口連結部５の反対側に突設するように構成し、このホゾ部８に、前記ボルト部９の軸方向と直交する方向にドリフトピン10を貫通可能な前記ピン係止孔11を設けて、前記ボルト挿通孔６に挿通した前記ボルト部９を回転させることでこのホゾ部８を回転させると、前記ピン係止孔11へのドリフトピン10の貫通方向を変更し得るように構成したことを特徴とする請求項１記載の木材接合金具用ピン止め具に係るものである。
【００１１】
また、基体13の一側に板状の前記ホゾ部８を突設して、このホゾ部８にホゾ部８の板面と直交する方向に貫通する前記ピン係止孔11を設け、基体13の他側に前記ボルト部９を突設すると共に、このボルト部９は、その軸方向が前記ピン係止孔11へのドリフトピン10の貫通方向と直交する方向に配設するようにして突設したことを特徴とする請求項１，２のいずれか１項に記載の木材接合金具用ピン止め具に係るものである。
【００１２】
また、前記ボルト部９の基部に、前記木材接合金具Ｋの前記取付板部４に設けた角孔状の前記ボルト挿通孔６に回り止め状態に嵌合可能な角形嵌合部14を設けたことを特徴とする請求項１〜３のいずれか１項に記載の木材接合金具用ピン止め具に係るものである。
【００１３】
また、前記角形嵌合部14は、前記ピン係止孔11の向きを認識可能な角形状に構成若しくはピン係止孔11の向きを表示する表示部を有する構成としたことを特徴とする請求項４記載の木材接合金具用ピン止め具に係るものである。
【００１４】
また、前記ボルト部９の基部に、前記木材接合金具Ｋの前記取付板部４に当接する挟着部15を設けて、この挟着部15とボルト部９の先端に螺着した前記ナット12とで前記ボルト挿通孔６近傍の前記取付板部４を挟持して締付固定し得るように構成したことを特徴とする請求項１〜５のいずれか１項に記載の木材接合金具用ピン止め具に係るものである。
【００１５】
また、一方の建築用木材１の周面部に取り付けする取付板部４と、他方の建築用木材２の端部に設けた仕口部３に連結する仕口連結部５とを備え、前記取付板部４に、前記一方の建築用木材１に貫通される取付ボルトを挿通するボルト挿通孔６を設けた木材接合金具Ｋと、前記請求項１〜６のいずれか１項に記載の木材接合金具用ピン止め具Ａとから成ることを特徴とする木材接合具に係るものである。
【発明の効果】
【００１６】
本発明は上述のように構成したから、ボルト部を木材接合金具のボルト挿通孔に挿通してナットで固定するだけの簡易操作によって木材接合金具に固定でき、本発明の木材接合金具用ピン止め具により木材接合金具を一方の建築用木材に対しドリフトピンで連結可能となり、従ってこれまでのような現場での回動工具を用いた取付ボルトの締付作業が不要で、例えばドリフトピンを打ち込むための工具（ハンマーなど）が一つあれば接合作業を行うことができる接合構造を容易に実現でき、これにより現場での施工作業が容易に行われて工期も著しく短縮することになり、しかも、木材接合金具に固定した木材接合金具用ピン止め具は、ナットによる固定状態を解除することによってホゾ部を回転させてピン係止孔へのドリフトピンの貫通方向を変更できるから、ドリフトピンを貫通させたい方向が異なる様々な接合場面に対しても、夫々の場面に適した専用金具などを用意することなく、上記簡易操作により容易に対応が可能となるなど、極めて実用性に優れた木材接合金具用ピン止め具となる。
【００１７】
また、請求項２，３記載の発明においては、前記作用効果を確実に発揮する木材接合金具用ピン止め具の構成を簡易に設計実現可能となり、特に請求項３記載の発明においては、ホゾ部を板状としたから、一方の建築用木材の周面部に設けるホゾ穴は細い穴で良く、このホゾ穴を設けることによる一方の建築用木材の強度低下を生じにくいなど、一層実用性に優れた構成の木材接合金具用ピン止め具となる。
【００１８】
また、請求項４記載の発明においては、木材接合金具に対してホゾ部を回り止め状態で固定でき、例えば角孔状のボルト挿通孔に角形嵌合部が嵌合した際に、ホゾ部のピン係止孔へのドリフトピンの貫通方向が適正な方向となるように設定構成することにより、ホゾ部の面倒な回転位置調整が不要となるなど、一層実用性に優れた構成の木材接合金具用ピン止め具となる。
【００１９】
また、請求項５記載の発明においては、ホゾ部のピン係止孔の向きを容易に認識可能であるから、様々な接合場面に適するようにホゾ部を回転させてピン係止孔の向きを変更することが容易に行われる一層実用性に優れた構成の木材接合金具用ピン止め具となる。
【００２０】
また、請求項６記載の発明においては、ボルト部を木材接合金具のボルト挿通孔に挿通してナットで締付固定できる構成を簡易に設計実現可能となる一層実用性に優れた構成の木材接合金具用ピン止め具となる。
【００２１】
また、請求項７記載の発明においては、前記作用・効果を発揮する極めて実用性に優れた木材接合具となる。
【図面の簡単な説明】
【００２２】
【図１】本実施例を示す斜視図である。
【図２】本実施例で用いる木材接合金具を示す斜視図である。
【図３】本実施例を用いて柱材と梁材を接合しようとする状態を示す斜視図である。
【図４】図３の別角度からの分解斜視図である。
【図５】本実施例を用いた柱材と梁材の接合状態を示す部分拡大側断面図である。
【図６】本実施例を用いた柱材と梁材の接合状態を示す部分拡大平断面図である。
【図７】本実施例を用いて梁材と梁材を接合しようとする状態を示す斜視図である。
【図８】図７の別角度からの分解斜視図である。
【発明を実施するための形態】
【００２３】
好適と考える本発明の実施形態を、図面に基づいて本発明の作用を示して簡単に説明する。
【００２４】
本発明の木材接合金具用ピン止め具Ａのボルト部９を、木材接合金具Ｋの取付板部４のボルト挿通孔６に挿通してこのボルト部９をナット12で固定することにより、木材接合金具用ピン止め具Ａを木材接合金具Ｋのボルト挿通孔６に固定できる。
【００２５】
例えば、予め工場などで木材接合金具用ピン止め具Ａを木材接合金具Ｋのボルト挿通孔６に固定しておくようにすると、現場でのこの固定作業が不要となって施工効率が向上することになる。
【００２６】
木材接合金具Ｋに固定した木材接合金具用ピン止め具Ａのホゾ部８を、一方の建築用木材１の周面部に設けたホゾ穴７に挿入し、このホゾ部８のピン係止孔11にドリフトピン10を交差貫通してこのホゾ部８を前記ホゾ穴７に抜け止め係止すると、一方の建築用木材１と木材接合金具Ｋとが木材接合金具用ピン止め具Ａを介して連結されて一方の建築用木材１の周面部に木材接合金具Ｋが設けられ、木材接合金具Ｋの仕口連結部５が一方の建築用木材１の周面部から外方へ突出することになる。
【００２７】
即ち、これまでの木材接合金具Ｋは、前記特許文献１のように、一方の建築用木材に設けたボルト貫通孔に貫通される取付ボルトにより一方の建築用木材１と連結固定していたが、本発明の木材接合金具用ピン止め具Ａを木材接合金具Ｋに固定して使用することにより、木材接合金具Ｋをドリフトピン10で一方の建築用木材１と連結することが可能となるので、これまでのような現場での回動工具を用いた取付ボルトの締付作業が不要で、例えばハンマーでドリフトピン10を打ち込むなどの簡易操作によって容易に木材接合金具Ｋを一方の建築用木材１に連結することが可能となる。
【００２８】
この一方の建築用木材１の周面部から外方へ突出している木材接合金具Ｋの仕口連結部５に、他方の建築用木材２の端部に設けた仕口部３を連結して、一方の建築用木材１と他方の建築用木材２とを接合する。
【００２９】
この仕口連結部５と仕口部３との連結には、前記特許文献１のように従来からドリフトピン10が用いられることが多いが、この従来通りのドリフトピン10による連結構造を採用すると、木材接合金具Ｋと一方の建築用木材１との連結も、木材接合金具Ｋと他方の建築用木材２との連結もドリフトピン10だけで行われるボルトレス構造となる。
【００３０】
従って、一方の建築用木材１と他方の建築用木材２との接合作業が、例えばドリフトピン10を打ち込むための工具（ハンマーなど）が一つあれば足りる構造を容易に設計実現可能となり、このようなボルトレス接合構造を採用することにより、現場での木材接合金具Ｋのボルト締付による連結固定作業が不要となる分施工作業が極めて容易に行われると共に、工期も著しく短縮することになる。
【００３１】
また、木材接合金具Ｋに固定した本発明の木材接合金具用ピン止め具Ａは、ナット12による前記ボルト部９の固定状態を解除すると、ホゾ部８を回転させて前記ピン係止孔11へのドリフトピン10の貫通方向を変更することができる。
【００３２】
従って、例えば後述する実施例のように、一方の建築用木材１としての縦材（柱材１Ａなど）に対して水平方向にドリフトピン10を貫通させたい場合や、一方の建築用木材１としての横材（梁材１Ｂなど）に対して垂直方向にドリフトピン10を貫通させたい場合があるが、このようなドリフトピン10を貫通させたい方向が異なる様々な場面に対しても、夫々の場面に適した専用金具などを用意することなく、ナット12によるボルト部９の固定状態を解除しホゾ部８を回転させてピン係止孔11の向き（ピン係止孔11へのドリフトピン10の貫通方向）を変更後、再びナット12によりボルト部９を木材接合金具Ｋに固定するだけの簡易操作を行うことによって対応が可能となる。
【実施例】
【００３３】
本発明の具体的な実施例について図面に基づいて説明する。
【００３４】
先ず、本実施例で用いる木材接合金Ｋを説明する。
【００３５】
一方の建築用木材１の周面部に取り付けする取付板部４と、他方の建築用木材２の端部に設けた仕口部３に連結する仕口連結部５とを備え、前記取付板部４に、前記一方の建築用木材１に貫通される取付ボルトを挿通するボルト挿通孔６を設けている。
【００３６】
具体的には、図２に示すように一枚の金属製（ステンレスなど）方形板を二つ折り形状に折り返し形成して、折り返し部を前記取付板部４とし、この取付板部４の反対側に位置する左右の遊離板部を前記仕口連結部５としている。
【００３７】
また、この取付板部４は、その断面形状を、前記一方の建築用木材１に対して前記他方の連結用木材２が引っ張られる方向に負荷を受けて仕口連結部５が引っ張られた際に、コ字状の断面折り返し形状から変形すると想定した形状であって且つコ字状の折り返し形状のように直角の折曲部分を有しない折り返し形状に形成した構成としている。
【００３８】
具体的には、この取付板部４の形状は、図６に示すように折り縁を有しない湾曲状に折曲した断面略Ｕ字状に形成している。これにより、たとえ一方の建築用木材１に対して他方の連結用木材２が引っ張られる方向に負荷がかかったとしても、取付板部４はこの断面略Ｕ字形状から更に変形することは起こりにくいため、秀れた耐変形強度を発揮して秀れた連結力を実現できる構成としている。
【００３９】
また、この取付板部４には、一方の建築用木材１の周面部より貫通突出させた取付ボルトを挿通するためのボルト挿通孔６を上下方向に所定間隔をおいて複数箇所に設けている。
【００４０】
具体的には、取付板部４の上部位置と中ほどよりやや下部寄り位置との二箇所に設けている。
【００４１】
また、前記仕口連結部５は、その上部と下部とに、後述するドリフトピン10を掛止し得る略Ｕ状の掛止凹部16を形成し、この上下の掛止凹部16間位置にはドリフトピン10を係止し得る係合孔17を上下方向に間隔を置いた複数箇所（図面では上下四箇所）に形成している。
【００４２】
次に、本実施例の木材接合金具用ピン止め具Ａを説明する。
【００４３】
前記した木材接合金具Ｋの前記ボルト挿通孔６に固定して使用するもので、前記一方の建築用木材１の周面部に設けたホゾ穴７に挿入するホゾ部８と、前記木材接合金具Ｋの前記ボルト挿通孔６に挿通するボルト部９とを備え、前記ホゾ部８に、ドリフトピン10を交差貫通することでこのホゾ部８を前記ホゾ穴７に抜け止め係止するピン係止孔11を設け、前記ボルト部９は、前記木材接合金具Ｋの前記ボルト挿通孔６に挿通してナット12により固定可能に構成している。
【００４４】
具体的には、金属製（ステンレスなど）の基体13の一側に前記ホゾ部８を突設すると共に、この基体13の反対側（他側）に前記ボルト部９を突設した構成として、このボルト部９を前記木材接合金具Ｋの前記取付板部４の外方（仕口連結部５が突出しない側の外方）からボルト挿通孔６に挿通すると、前記ホゾ部８が取付板部４から前記仕口連結部５の反対側に向かって突設するように構成している。
【００４５】
更に詳しくは、図１に示すように長さのない丸棒状の基体13の一側に板状の前記ホゾ部８を突設し、このホゾ部８に、ホゾ部８の板面と直交する方向に貫通する前記ピン係止孔11を設け、基体13の他側に前記ボルト部９を突設すると共に、このボルト部９は、その軸方向が前記ピン係止孔11へのドリフトピン10の貫通方向と直交する方向に配設するようにして突設した構成としている。
【００４６】
また、ホゾ部８は、金属製（ステンレスなど）であってやや厚みのある略円板形に形成し、このホゾ部８の板面の中心部に丸孔状の前記ピン係止孔11を貫通形成している。このホゾ部８は、基体13の一側端部に一体成形しても良いし、基体13の一側端部に溶接などの止着手段により止着固定する構成としても良い。
【００４７】
また、ボルト部９は、丸棒状の前記基体13より径小で且つ前記木材接合金具Ｋのボルト挿通孔６より径小なボルト杆（螺子杆）で構成している。このボルト部９も、前記基体13の他端部に一体成形しても良いし、基体13の他端部に溶接などの止着手段により止着固定する構成としても良い。
【００４８】
また、このボルト部９の、前記木材接合金具Ｋの前記ボルト挿通孔６へのナット12による固定構造は、図５，図６に示すように前記ボルト部９の基部に、前記木材接合金具Ｋの前記取付板部４に当接する挟着部15を設け、この挟着部15とボルト部９の先端に螺着した前記ナット12とでボルト挿通孔６周囲近傍の前記取付板部４を挟持して木材接合金具用ピン止め具Ａを木材接合金具Ｋに締付固定し得るように構成している。
【００４９】
具体的には、ホゾ部８とボルト部９との間に存するボルト部９より径大な基体13の円柱状部の、ボルト部９と直角に隣接する平坦な側面部を前記挟着部15としている。
【００５０】
また、本実施例では、前記ボルト部９の基部に、前記木材接合金具Ｋの前記取付板部４に設けた前記ボルト挿通孔６に回り止め状態に嵌合可能な角形嵌合部14を設けている。
【００５１】
具体的には、前記ボルト部９の基部に存する前記挟着部15に、この挟着部15を正面視した際（前記ボルト部９の軸方向から見た際）に略正方形状をなしてボルト部９の先端方向（基体13の他側方向）に僅かに突出する段差部14を形成してこの正方形状の段差部14を前記角形嵌合部14としている。
【００５２】
一方、前記木材接合金具Ｋの前記ボルト挿通孔６を、前記角形嵌合部14が回り止め状態に嵌合可能な略正方形状の角孔に形成して、このボルト挿通孔６に前記ボルト部９を挿通して前記角形嵌合部14をボルト挿通孔６（角孔）に嵌合すると、ホゾ部８（木材接合金具用ピン止め具Ａ）がボルト挿通孔６に対して回り止めされる構成としている。
【００５３】
また、この角形嵌合部14をボルト挿通孔６に嵌合した際に、前記ホゾ部８のピン係止孔11へのドリフトピン10の貫通方向が、木材接合金具Ｋの上下方向（垂直方向）か、又は左右方向（水平方向）となるように、ホゾ部８と角形嵌合部14との位置関係並びにボルト挿通孔６の形状を設定構成している。
【００５４】
具体的には、角形嵌合部14の一方の対向外側面部が、前記ホゾ部８の板面と平行関係であって、他方の対向外側面部がホゾ部８の板面と垂直関係となるように、ホゾ部８と角形嵌合部14との位置関係を設定構成すると共に、ボルト挿通孔６の縦縁が垂直で横縁が水平な略正方形状となるように、ボルト挿通孔６の形状を設定構成している。
【００５５】
これにより、単に角形嵌合部14をボルト挿通孔６に嵌合させてナット12止めするだけで、ホゾ部８のピン係止孔11へのドリフトピン10の貫通方向が、木材接合金具Ｋに対して垂直方向か、又は水平方向となるように回り止め（位置決め）固定される構成とし、更にこの回り止め固定状態からナット12を緩めて角形嵌合部14をボルト挿通孔６から嵌脱させ、ボルト部９を軸にホゾ部８を９０度回転させて角形嵌合部14を再びボルト挿通孔６に嵌合させることによってピン係止孔10の向き（ドリフトピン10の貫通方向）を９０度変更できる構成としている。
【００５６】
尚、図示していないが、角形嵌合部14に、ピン係止孔11の向きを表示する文字や色などによる表示部を設けたり、角形嵌合部14をその外面部の形状の違いによって前記ピン係止孔11の向きを認識可能な角形状（例えば長方形状）に構成しても良く、このように構成すると、ホゾ部８を目的に合わせた向きにして容易に木材接合金具Ｋに固定可能となる。また、ホゾ部８をホゾ穴７に挿入した状態でも表示部などによってピン係止孔11の向きを確認可能であるので、施工間違いがなく、実用的である。
【００５７】
次に、本実施例の使用方法を説明する。
【００５８】
図３〜図６は、一方の建築用木材１としての柱材１Ａと、他方の建築用木材２としての梁材２とを側面視で直角に接合する使用例を示している。
【００５９】
尚、この使用例に用いる柱材１Ａは、その周面部に前記ホゾ穴７として、木材接合金具用ピン止め具Ａの中ほどの基体13から一端部のホゾ部８までを挿入可能な形状の横穴を、上下方向に間隔を置いた数箇所（図面では二箇所）にホゾ部８と同数形成すると共に、この各ホゾ穴７と連通状態にして且つ各ホゾ穴７に挿入したホゾ部８の前記ピン係止孔11と連通可能なピン差込孔18を、各ホゾ穴７の穴長さ方向と直交する水平方向に柱材１Ａを貫通するようにして形成したものを採用し、梁材２は、その端部に縦長のスリットを横二列形成して前記仕口部３を構成すると共に、この仕口部３と連通状態にして且つこの仕口部３に挿入した前記仕口連結部５の前記掛止凹部16と係合孔17とに連通可能なピン通し孔19を、梁材２の長さ方向と直交する水平方向に梁材２を貫通するようにして形成したものを採用している。
【００６０】
予め、木材接合金具用ピン止め具Ａのボルト部９を、木材接合金具Ｋの取付板部４のボルト挿通孔６に挿通してこのボルト部９に螺着したナット12を締付することにより、木材接合金具用ピン止め具Ａを木材接合金具Ｋのボルト挿通孔６に固定しておく。
【００６１】
また、この際、ピン係止孔11へのドリフトピン10の貫通方向が水平方向となるようにして（ホゾ部８の板面が垂直方向となるようにして）木材接合金具用ピン止め具Ａを木材接合金具Ｋにセットする。
【００６２】
また、梁材２の、前記上側の掛止凹部16と連通するピン通し孔19には、予めドリフトピン10を挿通しておく。
【００６３】
木材接合金具Ｋに固定した木材接合金具用ピン止め具Ａのホゾ部８を、柱材１Ａの周面部に設けたホゾ穴７に挿入し、このホゾ部８のピン係止孔11にピン差込孔18を介して柱材１Ａの側方からドリフトピン10を交差貫通してこのホゾ部８を前記ホゾ穴７に抜け止め係止すると、柱材１Ａと木材接合金具Ｋとが木材接合金具用ピン止め具Ａを介して連結されて柱材１Ａの周面部に木材接合金具Ｋが設けられ、木材接合金具Ｋの仕口連結部５が柱材１Ａの周面部から外方へ突出することになる。
【００６４】
この柱材１Ａの周面部から外方へ突出している木材接合金具Ｋの仕口連結部５を、他方の建築用木材２の端部に設けた仕口部３に挿入配設しつつ、仕口部３に連通するピン通し孔19に予め挿通させておいたドリフトピン10を仕口連結部５の掛止凹部16に上方から掛止し、その後、この仕口部２の残余のピン通し孔19と、仕口連結部５の係合孔17とを連通させてドリフトピン10を挿通配設（打ち込み固定）して、この仕口連結部５を梁材２の仕口部３に継合連結すると、柱材１Ａと梁材２とが直角に接合される。
【００６５】
また、図７，図８は、一方の建築用木材１としての梁材１Ｂと、他方の建築用木材２としての梁材２とを平面視で直角に接合する使用例を示している。
【００６６】
尚、この使用例に用いる梁材１Ｂは、その周面部の垂直面部に前述の使用例と同構造のホゾ穴７を、上下方向に間隔を置いた二箇所に形成すると共に、この各ホゾ穴７と連通状態にして且つ各ホゾ穴７に挿入したホゾ部８の前記ピン係止孔11と連通可能なピン差込孔18を、各ホゾ穴７の穴長さ方向と直交する垂直方向に梁材１Ｂを貫通するようにして形成したものを採用し、梁材２は、前述の使用例と同構造のものを採用している。
【００６７】
予め、木材接合金具用ピン止め具Ａを、木材接合金具Ｋのボルト挿通孔６に固定しておくが、この際、ピン係止孔11へのドリフトピン10の貫通方向が垂直方向となるようにして（ホゾ部８の板面が水平方向となるようにして）木材接合金具用ピン止め具Ａを木材接合金具Ｋにセットする。
【００６８】
木材接合金具Ｋに固定した木材接合金具用ピン止め具Ａのホゾ部８を、梁材１Ｂの周面部に設けたホゾ穴７に挿入し、このホゾ部８のピン係止孔11に梁材１Ｂの例えば上方からピン差込孔18を介してドリフトピン10を交差貫通してこのホゾ部８を前記ホゾ穴７に抜け止め係止すると、梁材１Ｂと木材接合金具Ｋとが木材接合金具用ピン止め具Ａを介して連結されて梁材１Ｂの周面部に木材接合金具Ｋが設けられ、木材接合金具Ｋの仕口連結部５が梁材１Ｂの周面部から外方へ突出することになる。
【００６９】
この梁材１Ｂの周面部から外方へ突出している木材接合金具Ｋの仕口連結部５を、前述の使用例と同様にして梁材２の仕口部３に継合連結すると、梁材１Ｂと梁材２とが直角に接合される。
【００７０】
このように、本実施例の木材接合金具用ピン止め具Ａを用いることによって、一方の建築用木材１と他方の建築用木材２との接合構造をボルトレス構成とすることができる。
【００７１】
図中符号20は座金である。
【００７２】
尚、本発明は、本実施例に限られるものではなく、各構成要件の具体的構成は適宜設計し得るものである。
【符号の説明】
【００７３】
１  一方の建築用木材
２  他方の建築用木材
３  仕口部
４  取付板部
５  仕口連結部
６  ボルト挿通孔
７  ホゾ穴
８  ホゾ部
９  ボルト部
10  ドリフトピン
11  ピン係止孔
12  ナット
13  基体
14  角形嵌合部
15  挟着部
Ａ  木材接合金具用ピン止め具
Ｋ  木材接合金具
【図１】
2014156693.tif 000003
【図２】
2014156693.tif 000004
【図３】
2014156693.tif 000005
【図４】
2014156693.tif 000006
【図５】
2014156693.tif 000007
【図６】
2014156693.tif 000008
【図７】
2014156693.tif 000009
【図８】
2014156693.tif 000010